(57)【要約】【課題】録画失敗を抑制する。【解決手段】表示システム１００は、ブルーレイディスクに対して録画を正常に行えない正常状態から、ブルーレイディスクに対して録画を正常に行えない異常状態になり、その後、異常状態から正常状態に復帰すると、再録画モードへ移行するようになっている。予備録画モードとは、ＨＤＤ１３に記録済の再録画用データと視聴用映像データとを多重化した多重化データを表示装置２０へ送信する処理をチューナボックス１０に行わせ、前記多重化データに含まれる視聴用映像データの映像を表示する処理と前記多重化データに含まれる前記再録画用データをブルーレイディスクに記録させる処理とを前記表示装置に行わせるモードである。【選択図】図１
2013236341.tif 000002
【特許請求の範囲】
【請求項１】
映像データを受信するチューナ装置と、前記チューナ装置から無線通信によって前記映像データを受信して当該映像データの映像を表示する表示装置とを備え、前記チューナ装置に第１記録媒体が装着され、前記表示装置に第２記録媒体が装着されている表示システムであって、
表示装置に表示される映像を前記第２記録媒体に記録させる録画指示が前記表示システムに入力されると、前記表示装置に送信される前の前記映像データを予備録画データとして前記第１記録媒体に記録する処理と前記映像データを前記表示装置に送信する処理とを前記チューナ装置に行わせ、前記チューナ装置から送信されてくる前記映像データを前記第２記録媒体に記録する処理と前記映像データの映像を表示する処理とを前記表示装置に行わせる第１録画モードに移行する制御手段と、
前記第２記録媒体に対する記録処理を正常に行える正常状態か、第２記録媒体に対する記録処理を正常に行えない異常状態かを監視する監視手段とを備え、
前記制御手段は、前記監視手段にて監視されている状態が前記正常状態から前記異常状態に変化して、さらに前記異常状態から前記正常状態に復帰すると、前記第１録画モードから第２録画モードへ移行するようになっており、
前記第２録画モードは、前記第１記録媒体に記録済の予備録画データと前記映像データとを多重化した多重化データを前記表示装置へ送信する処理を前記チューナ装置に行わせ、前記多重化データに含まれる前記映像データの映像を表示する処理と前記多重化データに含まれる前記予備録画データを前記第２記録媒体に記録させる処理とを前記表示装置に行わせるモードであることを特徴とする表示システム。
【請求項２】
前記監視手段は、前記チューナ装置から前記表示装置への前記無線通信の通信エラーレートを監視し、前記通信エラーレートが第１閾値以上の状態を前記異常状態と判断し、前記通信エラーレートが前記第１閾値未満の状態を前記正常状態と判断することを特徴とする請求項１に記載の表示システム。
【請求項３】
前記第１閾値は、利用者によって入力される指示に応じて調整されることを特徴とする請求項２に記載の表示システム。
【請求項４】
前記監視手段は、前記表示装置の電源電圧を監視し、前記電源電圧が第２閾値未満の状態を前記異常状態と判断し、前記電源電圧が前記第２閾値以上の状態を前記正常状態と判断していることを特徴とする請求項１に記載の表示システム。
【請求項５】
前記制御手段は、前記第２録画モードへ移行する場合、当該第２録画モードへ移行する前に、前記第１録画モードにおいて前記第２記録媒体に記録された映像データを消去することを特徴とする請求項１から４のいずれか１項に記載の表示システム。
【請求項６】
前記第２録画モードにおいても、前記表示装置に送信される前の前記映像データを前記予備録画データとして前記第１記録媒体に記録させる処理を前記チューナ装置に行わせることを特徴とする請求項１から５のいずれか１項に記載の表示システム。
【請求項７】
映像データを受信するチューナ装置と、前記チューナ装置から無線通信によって前記映像データを受信して当該映像データの映像を表示する表示装置とを備え、前記チューナ装置に第１記録媒体が装着され、前記表示装置に第２記録媒体が装着されている表示システムの制御方法であって、
表示装置に表示される映像を前記第２記録媒体に記録させる録画指示が前記表示システムに入力されると、前記表示装置に送信される前の前記映像データを予備録画データとして前記第１記録媒体に記録する処理と前記映像データを前記表示装置に送信する処理とを前記チューナ装置に行わせ、前記チューナ装置から送信されてくる前記映像データを前記第２記録媒体に記録する処理と前記映像データの映像を表示する処理とを前記表示装置に行わせる第１録画モードに移行する第１工程と、
前記第２記録媒体に対する記録処理を正常に行える正常状態か、第２記録媒体に対する記録処理を正常に行えない異常状態かを監視する第２工程と、
前記第２工程にて監視されている状態が前記正常状態から前記異常状態に変化して、さらに前記異常状態から前記正常状態に復帰すると、前記第１録画モードから第２録画モードへ移行する第３工程とを含み、
前記第２録画モードは、前記第１記録媒体に記録済の予備録画データと前記映像データとを多重化した多重化データを前記表示装置へ送信する処理を前記チューナ装置に行わせ、前記多重化データに含まれる前記映像データの映像を表示する処理と前記多重化データに含まれる前記予備録画データを前記第２記録媒体に記録させる処理とを前記表示装置に行わせるモードであることを特徴とする表示システムの制御方法。
【請求項８】
コンピュータを請求項１から６のいずれか１項に記載の制御手段として機能させるためのプログラム。
【請求項９】
請求項８に記載のプログラムを記録したコンピュータ読み取り可能な記録媒体。
【発明の詳細な説明】
【技術分野】
【０００１】
本発明は、映像データを受信するチューナ装置と、前記チューナ装置から無線通信によって前記映像データを取得して当該映像データに基づく映像を表示する表示装置とを備えた表示システムに関する。
【背景技術】
【０００２】
従来から、表示装置（テレビモニタ）とチューナボックス（チューナ装置）とが別体になっているレイアウトフリー型の表示システムが知られている。このような表示システムにおいては、チューナボックスがアンテナを介して映像データ（テレビ放送データ）を受信し、チューナボックスから表示装置へ前記映像データが無線ＬＡＮによって送信され、表示装置はチューナボックスから受け取った映像データの映像（テレビ放送）を表示するようになっている。前記表示システムでは、表示装置にチューナを内蔵しないため、表示装置を薄型且つ軽量にでき、表示装置を持ち運び可能に設計できるという利点がある。
【０００３】
以上のレイアウトフリー型の表示システムにおいて、リムーバブルメディア用のレコーダ（ドライブ）を取り付ける場合、チューナボックスに前記レコーダを内蔵する構成と、表示装置に前記レコーダを内蔵する構成との２つのパターンが考えられる。ここで、利用者の操作性を考慮すれば、表示装置に前記レコーダを内蔵する構成が望ましい。つまり、チューナボックスに前記レコーダを内蔵する構成では、表示装置から離れた場所にあるチューナボックスまで行ってリムーバブルメディアをセットする必要があるため手間であるが、表示装置に前記ドライブを内蔵する構成では、表示装置に対面している利用者は、目の前にある表示装置にリムーバブルメディアをセットすればよく、手間がかからない。
【先行技術文献】
【特許文献】
【０００４】
【特許文献１】特開２０００−２７０２４９号公報
【特許文献２】特開２００９−３３４７７号公報
【発明の概要】
【発明が解決しようとする課題】
【０００５】
しかしながら、レイアウトフリー型の表示システムにおいて、リムーバブルメディア用のレコーダを表示装置に内蔵する場合、以下に示す問題が生じる。すなわち、前記のレイアウトフリー型の表示システムにおいては、表示装置にて表示させている映像を表示装置のリムーバブルメディアに録画している時に表示装置を移動させるようなケースが考えられるが、この移動によって無線通信の通信状態が悪化すると、表示装置がチューナボックスから正常な映像データを受信できず、録画が失敗するという問題が生じる。また、前記の移動によって表示装置の電源プラグが外れてしまって表示装置の電源電圧が足らなくなってしまうと、表示装置は映像を正しく録画できず、録画が失敗するという問題が生じる。
【０００６】
本発明は、以上の問題に鑑みてなされたものであり、チューナ装置と表示装置とが分離されており、チューナ装置から表示装置へ無線通信にて映像データが送信されるようになっている表示システムにおいて録画失敗を抑制することを目的とするものである。
【課題を解決するための手段】
【０００７】
上記の課題を解決するために、本発明は、映像データを受信するチューナ装置と、前記チューナ装置から無線通信によって前記映像データを受信して当該映像データの映像を表示する表示装置とを備え、前記チューナ装置に第１記録媒体が装着され、前記表示装置に第２記録媒体が装着されている表示システムであって、表示装置に表示される映像を前記第２記録媒体に記録させる録画指示が前記表示システムに入力されると、前記表示装置に送信される前の前記映像データを予備録画データとして前記第１記録媒体に記録する処理と前記映像データを前記表示装置に送信する処理とを前記チューナ装置に行わせ、前記チューナ装置から送信されてくる前記映像データを前記第２記録媒体に記録する処理と前記映像データの映像を表示する処理とを前記表示装置に行わせる第１録画モードに移行する制御手段と、前記第２記録媒体に対する記録処理を正常に行える正常状態か、第２記録媒体に対する記録処理を正常に行えない異常状態かを監視する監視手段とを備え、前記制御手段は、前記監視手段にて監視されている状態が前記正常状態から前記異常状態に変化して、さらに前記異常状態から前記正常状態に復帰すると、前記第１録画モードから第２録画モードへ移行するようになっており、前記第２録画モードは、前記第１記録媒体に記録済の予備録画データと前記映像データとを多重化した多重化データを前記表示装置へ送信する処理を前記チューナ装置に行わせ、前記多重化データに含まれる前記映像データの映像を表示する処理と前記多重化データに含まれる前記予備録画データを前記第２記録媒体に記録させる処理とを前記表示装置に行わせるモードであることを特徴とする。
【０００８】
本発明の構成によれば、表示装置にて表示されている映像を、表示装置側の第２記録媒体に記録（録画）する記録処理を行っている時において、第２記録媒体に対する記録処理を正常に行えない異常状態になり、その後に、第２記録媒体に対する記録処理を正常に行える正常状態に復帰すると、前記予備録画データが第１記録媒体から読み出されて第２記録媒体に記録（転写）されるようになっている。前記予備録画データは、前記の異常状態が生じている間に前記チューナ装置から前記表示装置に伝送されたものではないため、前記の異常状態による影響を受けていない。それゆえ、本発明の構成では、前記の異常状態が生じた場合、前記の異常状態の影響を受けていない予備録画データが前記第２記録媒体に記録されるため、前記の異常状態による録画失敗を防止できるという効果を奏する。
【０００９】
また、本発明の構成によれば、前記異常状態が発生してその後前記正常状態に復帰すると、チューナ装置から表示装置への映像データの送信と、チューナ装置から表示装置への再録画用データの送信（第１記録媒体から第２記録媒体への転写）との並行処理が自動的に行われることになる。それゆえ、利用者からすれば、前記異常状態になり、その後に正常状態に復帰した場合、正常状態に復帰後の視聴中に煩わしい作業（前記転写の操作指示）を行わなくてすむというメリットがある。
【００１０】
また、本発明の構成では、前記の第１録画モードにおいて、前記チューナ装置から前記表示装置への送信処理の通信状態が悪化した場合、表示装置にて受信されて前記第２記録媒体に記録される映像データも劣化したものになる。それゆえ、前記送信処理の通信エラーレートを監視することにより、前記第２記録媒体に対する記録処理の状態が正常状態か異常状態かを精度よく判断可能になる。そこで、本発明の表示システムにおいては、前記監視手段は、前記チューナ装置から前記表示装置への前記無線通信の通信エラーレートを監視し、前記通信エラーレートが第１閾値以上の状態を前記異常状態と判断し、前記通信エラーレートが前記第１閾値未満の状態を前記正常状態と判断するようになっていてもよい。
【００１１】
さらに、本発明の表示システムにおいて、前記第１閾値は、利用者によって入力される指示に応じて調整されるようになっていてもよい。
【００１２】
これにより、高画質録画を行いたい場合には、第１閾値を低く設定することでエラーレートが比較的低い状態から第２録画モードへ移行させることができ、録画画質にこだわらない場合には、第１閾値を高く設定することで、第１録画モードから第２録画モードへの移行を生じさせにくくできる（第２録画モードでは、前記映像データと予備録画データとを多重化して送信する必要があり、無線通信の許容通信量との関係上、表示装置に送信される映像データのビットレートを下げなければならない場合もあり、この場合、予備録画データについては伝送時間を延ばすことで録画画質劣化が生じないが、表示装置に表示される放送中の映像については若干ではあるが画質を落とさなければならない）。
【００１３】
また、本発明の構成では、前記の第１録画モードにおいて、前記表示装置のバッテリが充分に充電されていない状態にて前記表示装置の電源プラグがコンセントから引き抜かれるような事が起こると、前記表示装置において前記第２記録媒体に対する記録処理が停止してしまう。それゆえ、前記表示装置の電源電圧を監視することにより、前記第２記録媒体に対する記録処理の状態が正常状態か異常状態かを精度よく判断可能になる。そこで、本発明の表示システムにおいて、前記監視手段は、前記表示装置の電源電圧を監視し、前記電源電圧が第２閾値未満の状態を前記異常状態と判断し、前記電源電圧が前記第２閾値以上の状態を前記正常状態と判断するようになっていてもよい。
【００１４】
また、本発明において、前記制御手段は、前記第２録画モードへ移行する場合、当該第２録画モードへ移行する前に、前記第１録画モードにおいて前記第２記録媒体に記録された映像データを消去することが好ましい。
【００１５】
これにより、通信状態の異常が生じた事等によって劣化した録画画像を消去でき、不要なデータが第２記録媒体に残らないようにできる。
【００１６】
また、本発明の表示システムにおいては、前記第２録画モードにおいても、前記表示装置に送信される前の前記映像データを前記予備録画データとして前記第１記録媒体に記録させる処理を前記チューナ装置に行わせることが好ましい。
【００１７】
これにより、仮に第２録画モードに移行した後に前記異常状態が生じたとしても、前記チューナ装置側の前記第１記録媒体に前記予備録画データが記録され続けるため、正しく録画されたデータを残すことができ、第２録画モードの移行後の前記異常状態に起因した録画失敗をも抑制できる。
【００１８】
また、上記の課題を解決するために、本発明は、映像データを受信するチューナ装置と、前記チューナ装置から無線通信によって前記映像データを受信して当該映像データの映像を表示する表示装置とを備え、前記チューナ装置に第１記録媒体が装着され、前記表示装置に第２記録媒体が装着されている表示システムの制御方法であって、表示装置に表示される映像を前記第２記録媒体に記録させる録画指示が前記表示システムに入力されると、前記表示装置に送信される前の前記映像データを予備録画データとして前記第１記録媒体に記録する処理と前記映像データを前記表示装置に送信する処理とを前記チューナ装置に行わせ、前記チューナ装置から送信されてくる前記映像データを前記第２記録媒体に記録する処理と前記映像データの映像を表示する処理とを前記表示装置に行わせる第１録画モードに移行する第１工程と、前記第２記録媒体に対する記録処理を正常に行える正常状態か、第２記録媒体に対する記録処理を正常に行えない異常状態かを監視する第２工程と、前記第２工程にて監視されている状態が前記正常状態から前記異常状態に変化して、さらに前記異常状態から前記正常状態に復帰すると、前記第１録画モードから第２録画モードへ移行する第３工程とを含み、前記第２録画モードは、前記第１記録媒体に記録済の予備録画データと前記映像データとを多重化した多重化データを前記表示装置へ送信する処理を前記チューナ装置に行わせ、前記多重化データに含まれる前記映像データの映像を表示する処理と前記多重化データに含まれる前記予備録画データを前記第２記録媒体に記録させる処理とを前記表示装置に行わせるモードであることを特徴とする。
【００１９】
本発明の表示システムの制御方法によれば、本発明の表示システムと同様、前記の異常状態が生じた場合、前記の異常状態の影響を受けていない予備録画データが前記第２記録媒体に記録されるため、前記の異常状態による録画失敗を防止できるという効果を奏する。
【００２０】
また、本発明の表示システムは、コンピュータによって実現されてもよく、この場合には、コンピュータを前記制御手段として機能させるプログラム、および、このプログラムを記録したコンピュータ読み取り可能な記録媒体も、本発明の範疇に入る。
【発明の効果】
【００２１】
本発明は、チューナ装置と表示装置とが分離されており、チューナ装置から表示装置へ無線通信にて映像データが送信されるようになっている表示システムにおいて、録画失敗を抑制することができる。
【図面の簡単な説明】
【００２２】
【図１】本発明の一実施形態に係る表示システムを示した模式図である。
【図２】図１に示した表示システムに含まれるチューナボックスおよび表示装置の概略構成を示すブロック図である。
【図３】図１に示した表示システムのチューナボックスと表示装置とが行う処理の手順を示すシーケンス図である。
【図４】変形例に係る表示システムのチューナボックスと表示装置とが行う処理の手順を示すシーケンス図である。
【発明を実施するための形態】
【００２３】
（本実施形態の概要）
最初に、本発明の一実施形態に係る表示システムの概要を説明する。図１は、本実施形態の表示システム１００を示す模式図である。図１に示すように、表示システム１００は、いわゆるレイアウトフリー型のテレビ放送受信システムであり、チューナボックス（セットトップボックス）１０と表示装置（モニタ）２０とを備えている。
【００２４】
すなわち、本実施形態の表示システム１００では、アンテナを介して映像データを受信するチューナボックス１０と映像を表示させる表示装置２０とが別体になっており、無線ＬＡＮを介してチューナボックス１０から表示装置２０へ映像データが送られ、表示装置２０はチューナボックス１０から送られてきた映像データの映像を表示させるようになっている。また、表示装置２０は、チューナを内蔵していないことから、薄型且つ軽量に設計され、持ち運び可能になっており、また、壁に掛けるようなことも可能になっている。
【００２５】
また、本実施形態の表示システム１００では、チューナボックス１０にＨＤＤ（ハードディスクドライブ）１３が内蔵・装着されていると共に、表示装置２０にＢＤレコーダ（ブルーレイディスクレコーダ）２３が内蔵される構成である（図２参照）。
【００２６】
そして、表示システム１００は、少なくとも、以下に説明する通常視聴モード、通常録画モード（第１録画モード）、再録画モード（第２録画モード）を実行可能になっている。
【００２７】
通常視聴モードは、ＨＤＤ１３およびＢＤレコーダ２３にて記録処理（録画処理）を行うことなく、利用者に指定（選択）されるテレビ番組（放送中）の映像を表示装置２０にて表示させるモードである。
【００２８】
通常録画モードは、表示装置２０に表示されている映像（利用者に指定されるテレビ番組（放送中）の映像）をＢＤレコーダ２３のブルーレイディスクに記録（録画）する旨の利用者の録画指示に応じて、表示装置２０にて表示されている映像をＢＤレコーダ２３のブルーレイディスクに記録するモードである。
【００２９】
なお、本実施形態では、前記の通常録画モードおよび後述する再録画モードが実行されている間、チューナボックス１０は、表示装置２０に向けて送られる前の状態の映像データ（つまり表示装置２０に表示される映像データであって、表示装置２０に送られる前の映像データ）を再録画用データとしてＨＤＤ（第１記録媒体）１３に記録するようになっている。
【００３０】
そして、通常録画モードの実行中に、表示装置２０の状態が録画異常状態（ブルーレイディスクに対して正常に録画を行えない状態）にあると判定され、その後に正常録画状態（ブルーレイディスクに対して正常に録画を行える状態）に復帰したと判定された場合、表示システム１００は、それまでブルーレイディスクに記録されたデータを消去し、通常録画モードから再録画モードへ移行する。なお、通常録画モードから再録画モードへの移行時、ＨＤＤ１３に対する再録画データの記録処理は途切れることなく継続される。
【００３１】
再録画モードは、表示装置２０に映像（利用者に指定されるテレビ番組（放送中））を表示させつつ、ＨＤＤ１３に記録されている再録画用データ（予備録画データ）を最初のコマ（フレーム）から順にブルーレイディスク（第２記録媒体）に転写（記録）するモードである。つまり、再録画モードでは、ＨＤＤ１３に記録されている再録画用データがブルーレイディスクに記録されるのであって、ＨＤＤ１３を介さずに表示装置２０へ送られてきた視聴用映像データはブルーレイディスクに記録されないのである。
【００３２】
そして、表示システム１００は、前記した録画指示（通常録画モードの開始のトリガーとなった指示）と対の関係にある録画終了指示を利用者から受け付けると再録画モードを終了する。すなわち、表示システム１００は、ＨＤＤ１３に対する再録画用データの記録を終了し、ＨＤＤ１３に記録されている再録画用データの最後のコマ（フレーム）までをブルーレイディスクに転写した上で当該転写を終了する。
【００３３】
以上の構成によれば、表示装置２０にて表示されている映像を表示装置２０に挿入されているブルーレイディスクに録画している時において、表示装置２０の状態がブルーレイディスクに対して正常に録画を行えない録画異常状態になり、その後に録画異常状態から録画正常状態に復帰した場合、最終的にブルーレイディスクに記録されるのは再録画用データである。この再録画用データは、表示装置２０において録画異常状態が生じている間にチューナボックス１０から表示装置２０に伝送されたものではないため、前記の録画異常状態による影響を受けていない。それゆえ、本実施形態の構成では、前記の録画異常状態が生じると、前記の録画異常状態の影響を受けていない再録画用データが表示装置２０側のブルーレイディスクに記録されるため、前記の録画異常状態に起因した録画失敗を防止でき、良好な画質の映像を録画できるという効果を奏する。
【００３４】
なお、前記の録画異常状態としては、チューナボックス１０と表示装置２０との間の無線通信のエラーに起因する録画エラー、または、表示装置２０の電源電圧低下に起因する録画エラーがある。
【００３５】
以下、本実施形態の表示システム１００の構成および処理内容の詳細を図に基づいて説明する。
【００３６】
（表示システムの構成）
図２は、本実施形態の表示システムの概略構成を示すブロック図である。図１および図２に示すように、表示システム１００はチューナボックス（チューナユニット）１０と表示装置２０とを備えている。
【００３７】
図２に示すように、チューナボックス（チューナ装置）１０は、チューナ１１、回路部１２、ＨＤＤ（第１記録媒体）１３、無線トランシーバ１４、第１制御装置（制御手段）１５を備えている。また、同図に示されるように、チューナボックス１０の回路部１２は、映像処理回路１２ａ、記録読出回路１２ｂ、多重回路１２ｃを含む構成である。
【００３８】
これに対し、表示装置２０は、無線トランシーバ２１、回路部２２、ＢＤレコーダ２３、表示パネル２４、監視部（監視手段）２５、第２制御装置（制御手段）２６を備えている。また、同図に示されるように、表示装置２０の回路部２２は、多重分離回路２２ａ、記録読出回路２２ｂ、映像処理回路２２ｃを含む構成である。
【００３９】
まず、チューナボックス１０側の各構成要素について説明する。
【００４０】
チューナ１１は、アンテナを介して、地上デジタル放送およびＢＳ放送の映像データを受信する装置である。また、チューナ１１は、第１制御装置１５からの指示に応じて、利用者に視聴対象として選択されている放送番組の映像データを映像処理回路１２ａに送るようになっている。
【００４１】
ＨＤＤ１３は、チューナボックス１０に固定・内蔵されている記憶装置であり、データが記憶されるハードディスク（第１記録媒体）と、ハードディスクを駆動する駆動部と、駆動しているハードディスクに対するデータの読み書きを行うヘッド部とを備えている。
【００４２】
映像処理回路１２ａは、チューナ１１から送られてくる映像データに対して、ガンマ補正等の画質調整を施すための回路である。
【００４３】
また、本実施形態では、前記した通常視聴モードである場合、映像処理回路１２ａは、処理後の映像データを視聴用映像データとして多重回路１２ｃに伝送するようになっている。これに対し、前記した通常録画モードまたは再録画モードである場合、映像処理回路１２ａは、処理後の映像データを視聴用映像データとして多重回路１２ｃに送るのみならず、処理後の映像データを再録画用データとして記録読出回路１２ｂに伝送するようになっている。
【００４４】
記録読出回路１２ｂは、ＨＤＤ１３を制御してＨＤＤ１３に対するデータの読み書きを行う制御回路である。
【００４５】
本実施形態では、記録読出回路１２ｂは、通常録画モードの場合、映像処理回路１２ａから伝送されてきた再録画用データをＨＤＤ１３に記録する処理を行うが、ＨＤＤ１３からデータの読み出しを行わない。これに対し、記録読出回路１２ｂは、再録画モードの場合、映像処理回路１２ａから伝送されてきた再録画用データをＨＤＤ１３に記録する処理を行うと共に、記録中の再録画用データを最初のコマ（フレーム）から順に読み出し、読み出した再録画用データを多重回路１２ｃに出力する。
【００４６】
多重回路１２ｃは、映像処理回路１２ａから伝送されてくる視聴用映像データに対して所定のデータを多重化する処理を行う回路である。
【００４７】
本実施形態では、多重回路１２ｃは、通常視聴モードおよび通常録画モードにおいて、映像処理回路１２ａから視聴用映像データを受け取り、視聴用映像データに対して所定のデータ（制御信号や文字情報）を多重化し、多重化したデータを伝送データとして無線トランシーバ１４に出力している。
【００４８】
これに対し、多重回路１２ｃは、再録画モードの場合、映像処理回路１２ａから視聴用映像データを受け取ると共に、記録読出回路１２ｂから再録画用データを受け取る。そして、多重回路１２ｃは、視聴用映像データに対して、前記所定のデータを多重化するだけではなく、再録画用データも多重化し、多重化したデータを伝送データとして無線トランシーバ１４に出力する。
【００４９】
但し、多重回路１２ｃは、通常視聴モードおよび通常録画モードの場合に出力する伝送データのビットレートと、再録画用モードの場合に出力する伝送データのビットレートとが同一になるように多重化処理を行っている。具体的には、多重回路１２ｃは、再録画モードにおいて、通常視聴モードおよび通常録画モードの場合よりも視聴用映像データのビットレートを減少させることにより、通常視聴モードおよび通常録画モードの場合に出力する伝送データのビットレートと再録画モードの場合に出力する伝送データのビットレートとを同一にしているのである。つまり、再録画モードでは、視聴用映像データのビットレートを通常視聴モードおよび通常録画モードの時よりも減少させ、この減少分を再録画用データの伝送データ容量に割り当てていることになる。
【００５０】
無線トランシーバ１４は、無線ＬＡＮ用の送受信機である。具体的には、無線トランシーバ１４は、表示装置２０の無線トランシーバ２１との間で無線ＬＡＮによる通信を行う。特に、無線トランシーバ１４は、多重回路１２ｃから出力された伝送データを、無線トランシーバ２１へ無線で送信するようになっている。
【００５１】
第１制御装置１５は、ＣＰＵ（Central Processing Unit）、ＲＯＭ（Read Only Memory）、ＲＡＭ（Random Access Memory）等を備え、ＲＯＭ、ＲＡＭ等に記録されているプログラムをＣＰＵに実行させることにより、チューナボックス１０側の各ハードウェアの制御処理を実現するコンピュータである。
【００５２】
具体的には、第１制御装置１５は、チューナボックス１０側の各ハードウェアを統括制御する装置である。つまり、以上にて説明したチューナ１１、ＨＤＤ１３、映像処理回路１２ａ、記録読出回路１２ｂ、多重回路１２ｃ、無線トランシーバ１４は、第１制御装置１５からの指示に応じて、通常視聴モード、通常録画モード、予備録画モードに移行して、各モードの処理を行うようになっている。また、第１制御装置１５は、無線トランシーバ１４、２１を介して、表示装置２０の第２制御装置２６との間で各種コマンドや各種通知を送受信する。
【００５３】
つぎに表示装置２０側の各構成要素について説明する。
【００５４】
ＢＤレコーダ２３は、ブルーレイディスク（第２記録媒体）を着脱自在であるディスク保持部と、ディスク保持部に装着されているブルーレイディスクを駆動する駆動部と、駆動部によって駆動しているブルーレイディスクに対するデータの読み書きを行うためのヘッド部とを備えるレコーダ装置である。
【００５５】
無線トランシーバ２１は、無線トランシーバ１４と同様、無線ＬＡＮ用の送受信機である。つまり、無線トランシーバ２１は、チューナボックス１０の無線トランシーバ１４との間で無線ＬＡＮによる通信を行う。特に、無線トランシーバ２１は、多重回路１２ｃから出力される伝送データを、無線トランシーバ１４を介して受信して、この伝送データを多重分離回路２２ａに出力するようになっている。
【００５６】
多重分離回路２２ａは、無線トランシーバ２１を経由して送られてくる伝送データを受け付け、この伝送データから映像データ等の分離処理を行う。
【００５７】
具体的に、本実施形態の多重分離回路２２ａは、通常視聴モードまたは通常録画モードにおいて、前記伝送データから視聴用映像データを分離する。そして、多重分離回路２２ａは、通常視聴モードでは、映像処理回路２２ｃのみに視聴用映像データを伝送し、通常録画モードでは、映像処理回路２２ｃおよび記録読出回路２２ｂの各々に対して視聴用映像データを伝送するようになっている。
【００５８】
また、多重分離回路２２ａは、再録画モードでは、前記伝送データから視聴用映像データおよび再録画用データを分離し、視聴用映像データを映像処理回路２２ｃに伝送して、再録画用データを記録読出回路２２ｂに伝送するようになっている。
【００５９】
映像処理回路２２ｃは、多重分離回路２２ａから視聴用映像データを入力し、各種画像処理を施す回路である。当該画像処理としては、例えば、映像に対してＯＳＤ表示を合成する合成処理等がある。
【００６０】
記録読出回路２２ｂは、ＢＤレコーダ２３を制御する制御回路である。本実施形態において、記録読出回路２２ｂは、通常録画モードの場合、映像処理回路１２ａから伝送されてくる視聴用映像データをＢＤレコーダ２３のブルーレイディスクに記録する処理を行い、再録画モードの場合、映像処理回路１２ａから伝送されてくる再録画用データをＢＤレコーダ２３のブルーレイディスクに記録する処理を行う。なお、視聴モードの場合、記録読出回路２２ｂは処理を行わない。
【００６１】
表示パネル２４は、映像処理回路２２ｃから伝送されてきた視聴用映像データの映像を表示する液晶ディスプレイである。なお、表示パネル２４は、液晶ディスプレイに限られるものではなく、プラズマディスプレイであってもよいし、有機ＥＬディスプレイであってもよい。
【００６２】
監視部２５は、表示装置２０の状態が、ブルーレイディスクに対する記録処理を正常に行える正常状態か、ブルーレイディスクに対する記録処理を正常に行えない異常状態かを監視する装置である。
【００６３】
具体的には、監視部２５は、無線トランシーバ２１の受信データに基づき、チューナボックス１０から表示装置２０への無線送信の通信エラーレートを監視する監視装置である。この監視部２５は、この通信エラーレートを所定の閾値（第１閾値）とを対比し続け、通信エラーレートが閾値未満であると前記正常状態と判断し、通信エラーレートが閾値以上であると前記異常状態と判断するようになっている。そして、監視部２５は、前記正常状態から前記異常状態に変化すると、前記の異常状態検出を示すエラー信号を第２制御装置２６に送るようになっている。また、監視部２５は、前記異常状態から前記正常状態に変化すると、前記の正常状態に復帰したことを示す正常復帰信号を第２制御装置２６に送るようになっている。
【００６４】
すなわち、チューナボックス１０から表示装置２０への無線送信の通信状態が悪化した場合、表示装置２０にて受信されてブルーレイディスクに記録される映像データも劣化したものになる。それゆえ、監視部２５では、前記通信エラーレートを監視することにより、ブルーレイディスクに対する記録処理の状態が正常状態か異常状態かを判断しているのである。
【００６５】
第２制御装置２６は、ＣＰＵ（Central Processing Unit）、ＲＯＭ（Read Only Memory）、ＲＡＭ（Random Access Memory）等を備え、ＲＯＭ、ＲＡＭ等に記録されているプログラムをＣＰＵに実行させることにより、表示装置２０側の各ハードウェアの制御処理を実現するコンピュータである。
【００６６】
具体的には、第２制御装置２６は、表示装置２０側の各ハードウェアを統括制御する装置である。つまり、以上にて説明した無線トランシーバ２１、多重分離回路２２ａ、記録読出回路２２ｂ、映像処理回路２２ｃ、ＢＤレコーダ２３、表示パネル２４、監視部２５は、第２制御装置２６からの指示に応じて、通常視聴モード、通常録画モード、予備録画モードに移行して、各モードの処理を行うようになっている。また、第２制御装置２６は、無線トランシーバ１４、２１を介して、チューナボックス１０の第１制御装置１５との間で各種コマンドや各種通知を送受信可能になっている。
【００６７】
（処理の流れ）
つぎに、本実施形態の表示システム１００にて実行される処理の流れを図３に基づいて説明する。図３は、図１に示した表示システムのチューナボックスと表示装置が行う処理の手順を示すシーケンス図である。
【００６８】
まず、表示システム１００は通常視聴モードになっているものとする。つまり、チューナボックス１０から表示装置２０に視聴用映像データが無線で送信されており、表示装置２０は、当該視聴用映像データの映像を表示パネル２４に表示させている。
【００６９】
このような状況にて、表示装置２０に取り付けられている録画ボタンまたはリモコン（不図示）の録画ボタンを利用者が押すと（図３のＳ１）、第２制御装置２６は、録画開始指示をチューナボックス１０へ送信し（Ｓ２）、通常録画モードへ移行する。つまり、表示装置２０の第２制御装置２６は、表示装置２０の各ハードウェアを通常録画モードへ移行させ、チューナボックス１０から送られてくる視聴用映像データの映像を表示装置２０に表示させ続けつつ、当該視聴用映像データをＢＤレコーダ２３のブルーレイディスクに記録する処理を開始させる（Ｓ４）。
【００７０】
また、Ｓ２の録画開始指示を受けたチューナボックス１０の第１制御装置１５は、チューナボックス１０の各ハードウェアを通常録画モードへ移行させる。すなわち、チューナボックス１０の第１制御装置１５は、利用者に指定されている番組の映像データ（視聴用映像データ）を表示装置２０に向けて送信させ続けつつ、この視聴用映像データと同一内容の再録画用データをＨＤＤ１３に記録する処理を開始させる（Ｓ３）。
【００７１】
その後、チューナボックス１０から表示装置２０への無線送信の通信エラーレートが閾値以上になって通信エラーが発生すると（Ｓ５）、監視部２５は、ブルーレイディスクに対する記録処理を正常に行えない異常状態になったことを示すエラー信号を第２制御装置２６へ伝送する。このエラー信号を受けた第２制御装置２６は、前記異常状態になったことを通知するエラー通知を表示装置２０に送信するようになっている（Ｓ６）。
【００７２】
Ｓ６のエラー通知を受けたチューナボックス１０の第１制御装置１５は、通常録画モードを続行させつつ、再録画モードへ移行させるための準備処理を行う（Ｓ７）。Ｓ７の準備処理とは、再録画モードへ移行した場合に多重回路１２ｃにおいて多重化される各データのビットレートを予め算出しておき、このビットレートを多重回路１２ｃに通知する処理を指す。
【００７３】
チューナボックス１０の第１制御装置１５は、Ｓ７の準備処理が完了すると、準備完了を示す準備完了通知を表示装置２０に伝送するようになっている（Ｓ８）。なお、第１制御装置１５は、Ｓ８の準備完了通知に対する応答が表示装置２０側から送られてくるまでの間、Ｓ８の準備完了通知を表示装置２０へ送信し続ける。
【００７４】
Ｓ８の準備完了通知がチューナボックス１０から表示装置２０に送られ続けている間において、チューナボックス１０から表示装置２０への無線送信の通信エラーレートが閾値未満になって通信エラーが解消すると（Ｓ６）、監視部２５は、正常復帰信号を第２制御装置２６に送るようになっている。
【００７５】
正常復帰信号を受けた第２制御装置２６は、ＢＤレコーダ２３に対する視聴用映像データの記録処理を終了させ（すなわち通常録画モードを終了させる）、予備録画モードへ移行するための準備処理を行う（Ｓ１０）。この準備処理とは、Ｓ４の録画開始からＳ１０の準備処理の開始時点までにＢＤレコーダ２３に記録された視聴用映像データを消去する処理である。
【００７６】
表示装置２０の第２制御装置２６は、Ｓ１０の準備処理が完了すると、準備完了を示す準備完了通知をチューナボックス１０に伝送するようになっている（Ｓ１１）。なお、Ｓ１１の準備完了通知は、Ｓ８の準備完了通知に対する応答に該当する。
【００７７】
チューナボックス１０の第１制御装置１５は、Ｓ１１の準備完了通知を受信すると、Ｓ８の準備完了通知の送信を中止し、チューナボックス１０の各ハードウェアを通常録画モードから再録画モードへと移行させる。つまり、チューナボックス１０は、ＨＤＤ１３から再録画用データを最初のコマ（フレーム）から順に読み出し、読み出した再録画用データと視聴用映像データとを多重化して表示装置２０へ伝送する予備録画モードを開始するのである（Ｓ１２）。
【００７８】
また、Ｓ１２の開始と同時に、チューナボックス１０の第１制御装置１５は、再録画開始指示を表示装置２０に送信する（Ｓ１３）。
【００７９】
Ｓ１３の再録画開始指示を受けた表示装置２０の第２制御装置２６は、表示装置２０の各ハードウェアを再録画モードへ移行させる。すなわち、表示装置２０の第２制御装置２６は、チューナボックス１０から送られてくる視聴用映像データの映像を表示装置２０に表示させつつ、チューナボックス１０から送られてくる再録画用データをＢＤレコーダ２３のブルーレイディスクに記録させる（Ｓ１４）。
【００８０】
その後、表示装置２０に取り付けられている録画停止ボタンまたはリモコン（不図示）の録画停止ボタンを利用者が押すと（Ｓ１５）、表示装置２０の第２制御装置２６は録画終了指示をチューナボックス１０へ送信する（Ｓ１６）。Ｓ１６の録画終了指示を受けたチューナボックス１０の第１制御装置１５は、ＨＤＤ１３に対する再録画用データの記録を終了させ（Ｓ１７）、ＨＤＤ１３に記録されている再録画用データの最後のコマ（フレーム）までを表示装置２０に伝送させる。
【００８１】
これに対し、表示装置２０の第２制御装置２６は、チューナボックス１０から送られてくる再録画用データを最後までＢＤレコーダ２３のブルーレイディスクに記録させた上で、ＢＤレコーダ２３への録画処理を終了する（Ｓ１８）。
【００８２】
表示装置２０の第２制御装置２６は、Ｓ１８の後、ＨＤＤ１３に記録されている再録画用データの消去指示をチューナボックス１０へ送信し（Ｓ１９）、再録画モードを終了させる。Ｓ１９の消去指示を受けたチューナボックス１０は、ＨＤＤ１３に記録されている再録画用データの消去し（Ｓ２０）、予備録画モードを終了させる。
【００８３】
以上示した本実施形態の構成によれば、表示装置２０にて表示されている映像を表示装置２０に挿入されているブルーレイディスクに録画している時において、表示装置２０とチューナボックス１０との間の通信状態が悪化して、ブルーレイディスクへの記録が正常にできない異常状態になった場合、最終的にブルーレイディスクに記録されるのは再録画用データである。この再録画用データは、前記の異常状態が生じている間にチューナボックス１０から表示装置２０に伝送されたものではないため、前記の異常状態による影響を受けていない。それゆえ、本実施形態の構成では、前記の異常状態が生じても、前記の異常状態の影響を受けていない再録画用データが表示装置２０側のブルーレイディスクに記録されるため、録画失敗を防止でき、良好な画質の映像を録画できるのである。
【００８４】
また、以上の構成によれば、前記異常状態が生じてその後に正常状態に復帰すると、チューナボックス１０から表示装置２０への視聴用映像データの送信と、チューナボックス１０から表示装置２０への再録画用データの送信（ＨＤＤ１３からＢＤへの転写）との並行処理が自動的に行われる。それゆえ、利用者からすれば、前記異常状態になり、その後に正常状態に復帰した場合、正常状態に復帰後の視聴中に煩わしい作業（前記転写の操作指示）を行わなくてすむというメリットがある。
【００８５】
また、以上の構成によれば、再録画モードにおいて、視聴用映像データの伝送ビットレートを削減しているため、表示装置２０に表示される映像の画質は多少劣化するが、ＨＤＤ１３から表示装置２０の側へ伝送される再録画用データについては伝送時間を長くでき、これによって再録画用データの画質劣化を抑制できるため、正常な画質の再録画用データをブルーレイディスクに記録できる。
【００８６】
なお、以上にて示した実施形態において、監視部２５は、エラーレートと対比させる閾値を、利用者から入力される指示に応じて変更するようになっていてもよい。これにより、例えば、利用者からすれば、高画質録画を行いたい場合には、閾値を低く設定することでエラーレートが比較的低い状態から再録画モードへ移行させることができ、録画画質にこだわらない場合には、閾値を高く設定することで、再録画モードへの移行を生じさせにくくできる（再録画モードでは、視聴用映像データのビットレートを下げるため、表示される放送中の映像の画質が多少劣化するが、このような事を生じさせにくくできる）。
【００８７】
また、以上の実施形態によれば、第２制御装置２６は、再録画モードへ移行する前に、通常録画モードにおいてブルーレイディスクに記録された映像データを消去させている（Ｓ１０）。これにより、前記異常状態の下で記録されたデータ（録画画質の劣化したデータ）を消去でき、不要なデータがブルーレイディスクに残らないようにできる。
【００８８】
また、以上の実施形態によれば、再録画モードにおいても、第１制御装置１５は、表示装置２０に送信される前の映像データを再録画用データとしてＨＤＤ１３に記録させる処理を行っている。それゆえ、仮に再録画モードに移行した後に前記異常状態が生じたとしても、チューナボックス１０側のＨＤＤ１３に再録画データが記録され続けるため、正しく録画されたデータを残すことができ、再録画モードの移行後の前記異常状態に起因した録画失敗をも抑制できる。
【００８９】
（変形例）
以上にて示した実施形態の監視部２５は、チューナボックス１０と表示装置２０との間の無線通信の通信エラーレートによって、ブルーレイディスクに対する記録処理を正常に行える正常状態か、ブルーレイディスクに対する記録処理を正常に行えない異常状態かを監視する形態であったが、このような形態に限られるものではない。
【００９０】
例えば、表示システム１００が通常録画モードの時において、表示装置２０のバッテリに充分な電圧が充電されていない場合に電源プラグ（ＡＣプラグ）がコンセントから抜かれてしまうこと等で電源電圧が閾値未満の電源エラー状態になると、表示装置２０においてブルーレイディスクに対する記録処理が停止してしまう。すなわち、レイアウトフリー型の表示システム１００では、表示装置２０を持ち運び可能であるため、利用者が表示装置２０を移動させた時に電源プラグがコンセントから抜かれてしまって、前記異常状態になるようなことが起こりえるのである。
【００９１】
そこで、本変形例では、監視部２５が、表示装置２０の電源電圧を監視することにより、表示装置２０の状態が前記正常状態であるか前記異常状態であるかを判断するようになっている。
【００９２】
以下、本変形例について詳細に説明する。本変形例においては、図２の監視部２５は、表示装置２０の電源電圧を監視する監視装置になっている。この監視部２５は、この電源電圧を所定の閾値（第２閾値）と対比し続け、電源電圧が閾値以上であると前記正常状態と判断し、電源電圧が閾値未満であると前記異常状態と判断するようになっている。そして、監視部２５は、前記正常状態から前記異常状態に変化すると、前記の異常状態検出を示すエラー信号を第２制御装置２６に送るようになっている。また、監視部２５は、前記異常状態から前記正常状態に変化すると、前記の正常状態に復帰したことを示す正常復帰信号を第２制御装置２６に送るようになっている。
【００９３】
つぎに、本変形例の表示システム１００にて実行される処理の流れを図４に基づいて説明する。図４は、本変形例の処理の手順を示すシーケンス図である。なお、図４に示す各処理内容のうち、図３に示す処理内容と同一部分についてはその説明を省略し、図３に示す処理内容と異なる部分のみを説明する。
【００９４】
まず、図４に示すＳ３１〜Ｓ３４は、図３のＳ１〜Ｓ４と同一であるため、その説明を省略する。
【００９５】
図４に示すＳ３４の後、表示装置２０の電源プラグがコンセントから抜かれてしまうこと等によって表示装置２０の電源電圧が閾値未満になって電源エラーが発生すると（Ｓ３５）、監視部２５は、ブルーレイディスクに対する記録処理を正常に行えない異常状態になったことを示すエラー信号を第２制御装置２６へ伝送する。このエラー信号を受けた第２制御装置２６は、前記異常状態になったことを通知するエラー通知をチューナボックス１０に送信するようになっている（Ｓ３６）。
【００９６】
Ｓ３６のエラー通知を受けたチューナボックス１０の第１制御装置１５は、通常録画モードを続行させつつ、再録画モードへ移行させるための準備処理を行う（Ｓ３７）。Ｓ３７の準備処理とは、再録画モードへ移行した場合に多重回路１２ｃにおいて多重化される各データのビットレートを予め算出しておき、このビットレートを多重回路１２ｃに通知する処理を指す。
【００９７】
チューナボックス１０の第１制御装置１５は、Ｓ３７の準備処理が完了すると、準備完了を示す準備完了通知を表示装置２０に伝送するようになっている（Ｓ３８）。なお、第１制御装置１５は、Ｓ３８の準備完了通知に対する応答が表示装置２０側から送られてくるまでの間、Ｓ３８の準備完了通知を表示装置２０へ送信し続ける。
【００９８】
Ｓ３８の準備完了通知がチューナボックス１０から表示装置２０に送られ続けている間において、表示装置２０の電源プラグがコンセントに差し込まれて表示装置２０の電源電圧が閾値以上になって電源エラーが解消すると（Ｓ３９）、監視部２５は、正常復帰信号を第２制御装置２６に送るようになっている。
【００９９】
正常復帰信号を受けた第２制御装置２６は、ＢＤレコーダ２３に対する視聴用映像データの記録処理を終了させ（すなわち通常録画モードを終了させる）、予備録画モードへ移行するための準備処理を行う（Ｓ４０）。この準備処理とは、Ｓ３４の録画開始からＳ４０の準備処理の開始時点までにＢＤレコーダ２３に記録された視聴用映像データを消去する処理である。
【０１００】
そして、以降のＳ４１〜Ｓ５０は、図３のＳ１１〜Ｓ２０と同一であるため、その説明を省略する。
【０１０１】
以上示した構成によれば、表示装置２０にて表示されている映像を表示装置２０に挿入されているブルーレイディスクに録画している時において、表示装置２０の電源プラグがコンセントから引き抜かれて表示装置２０の側で録画処理を一時的に行えなくなってとしても、最終的にブルーレイディスクに再録画用データが記録されることになる。それゆえ、表示装置２０の電源プラグがコンセントから引き抜かれたことによる録画失敗を防止できるのである。
【０１０２】
なお、以上にて示した実施形態において、表示装置２０に内蔵されるリムーバブルメディア用のレコーダは、ＢＤレコーダ２３であったが、ＢＤレコーダ２３に限られるものではない。ＢＤレコーダ２３の代わりに、ＤＶＤレコーダであってもよいし、ＵＳＢメモリに対してデータの読み書きを行うＵＳＢメモリドライブであってもよい。要は、リムーバブルメディア用のレコーダであればよいのである。
【０１０３】
（補足事項）
以上の実施形態にて示した第１制御装置１５および第２制御装置２６は、集積回路（ＩＣチップ）上に形成された論理回路によってハードウェア的に実現していてもよいし、ＣＰＵ（central processing unit）を用いてソフトウェア的に実現してもよい。
【０１０４】
後者の場合、第１制御装置１５および第２制御装置２６は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである第１制御装置１５および第２制御装置２６のプログラムのプログラムコード（実行形式プログラム、中間コードプログラム、ソースプログラム）をコンピュータで読み取り可能に記録した記録媒体を、上記の第１制御装置１５および第２制御装置２６に供給し、そのコンピュータ（またはＣＰＵやＭＰＵ（micro processing unit））が記録媒体に記録されているプログラムコードを読み出し実行することによっても、達成可能である。
【０１０５】
上記記録媒体としては、例えば、磁気テープやカセットテープ等のテープ類、フロッピー（登録商標）ディスク／ハードディスク等の磁気ディスクやＣＤ−ＲＯＭ（compact disc read-only memory）／ＭＯディスク（magneto-optical disc）／ＭＤ（Mini Disc）／ＤＶＤ（digital versatile disc）／ＣＤ−Ｒ（CD Recordable）等の光ディスクを含むディスク類、ＩＣカード（メモリカードを含む）／光カード等のカード類、マスクＲＯＭ／ＥＰＲＯＭ（erasable programmable read-only memory）／ＥＥＰＲＯＭ（登録商標；electrically erasable and programmable read-only memory）／フラッシュＲＯＭ等の半導体メモリ類、あるいはＰＬＤ（Programmable logic device）やＦＰＧＡ（Field Programmable Gate Array）等の論理回路類などを用いることができる。
【０１０６】
また、表示システム１００を通信ネットワークと接続可能に構成し、上記プログラムコードを、通信ネットワークを介して供給してもよい。この通信ネットワークは、プログラムコードを伝送可能であればよく、特に限定されない。例えば、インターネット、イントラネット、エキストラネット、ＬＡＮ（local area network）、ＩＳＤＮ（integrated services digital network）、ＶＡＮ（value-added network）、ＣＡＴＶ（community antenna television/cable television）通信網、仮想専用網（virtual private network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ（institute of electrical and electronic engineers）１３９４、ＵＳＢ、電力線搬送、ケーブルＴＶ回線、電話線、ＡＤＳＬ（asymmetric digital subscriber loop）回線等の有線でも、ＩｒＤＡ（infrared data association）やリモコンのような赤外線、Ｂｌｕｅｔｏｏｔｈ（登録商標）、ＩＥＥＥ８０２．１１無線、ＨＤＲ（high data rate）、ＮＦＣ（Near Field Communication）、ＤＬＮＡ（Digital Living Network Alliance）、携帯電話網、衛星回線、地上波デジタル網等の無線でも利用可能である。
【０１０７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０８】
本発明は、映像データを受信するチューナボックスと、前記チューナボックスから無線通信によって前記映像データを取得して当該映像データに基づく映像を表示する表示装置とを備える表示システムに利用できる。
【符号の説明】
【０１０９】
１０    チューナボックス(チューナ装置）
１２ａ  映像処理回路
１２ｂ  記録読出回路
１２ｃ  多重回路
１３    ＨＤＤ（第１記録媒体）
１４    無線トランシーバ
１５    第１制御装置（制御手段）
２０    表示装置
２１    無線トランシーバ
２２ａ  多重分離回路
２２ｂ  記録読出回路
２２ｃ  映像処理回路
２３    ＢＤレコーダ
２４    表示パネル
２５    監視部（監視手段）
２６    第２制御装置（制御手段）
１００    表示システム
【図１】
2013236341.tif 000003
【図２】
2013236341.tif 000004
【図３】
2013236341.tif 000005
【図４】
2013236341.tif 000006